(57)【要約】      （修正有）【課題】折り畳んだマスク本体の収納姿勢を保持しつつ、転香成分をマスクに揮散させることができるマスクの携帯容器を提供する。【解決手段】携帯容器１は、マスク２と、面状体３と、蓋部４と、を有し、マスク２は、フィルター機能を有する折り畳み可能なマスク本体２１と、マスク本体２１の両端部に設けられた対をなす耳掛け部２２と、を有し、面状体３は、二つ折りに折り畳んだマスク本体２１間に差し込んで折り畳んだマスク本体２１の収納姿勢を保持して転香成分を揮散し、蓋部４は、面状体３の両端からマスク本体２１を覆うものである。【選択図】図３
2020045135.tif 000002
【特許請求の範囲】
【請求項１】
マスクを収納する携帯容器であって、
前記携帯容器は、前記マスクと、面状体と、蓋部と、を有し、
前記マスクは、フィルター機能を有する折り畳み可能なマスク本体と、マスク本体の両端部に設けられた対をなす耳掛け部と、を有し、
前記面状体は、二つ折りに折り畳んだ前記マスク本体間に差し込んで前記折り畳んだ前記マスク本体の収納姿勢を保持して転香成分を揮散し、
前記蓋部は、前記面状体の両端から前記マスク本体を覆うものであることを特徴とする携帯容器。
【請求項２】
前記面状体は、前記転香成分を有する薄板を収容可能なポケットを有し、前記薄板から前記転香成分を揮散するための１以上の貫通孔を有することを特徴とする請求項１に記載の携帯容器。
【請求項３】
前記面状体は、前記折り畳んだ前記マスク本体の形状に沿うように形成されることを特徴とする請求項１に記載の携帯容器。
【請求項４】
前記蓋部は、前記マスク本体に転香成分を揮散するものであることを特徴とする請求項３に記載の携帯容器。
【請求項５】
前記蓋部は、前記転香成分を有する薄板を収容可能なポケットを有し、前記薄板から前記転香成分を揮散するための１以上の貫通孔を有することを特徴とする請求項４に記載の携帯容器。
【請求項６】
前記携帯容器は、展開可能なマスク容器本体であり、
前記面状体は、前記展開したマスク容器本体を山折りして形成するものであり、
前記蓋部は、前記展開したマスク容器本体を山折りと谷折りを組み合わせて、前記面状体を覆う部位に形成するものであることを特徴とする請求項１に記載の携帯容器。
【請求項７】
前記面状体の前記ポケットは、山折りして形成した前記面状体間に形成するものであることを特徴とする請求項２に記載の携帯容器。
【請求項８】
前記蓋部は、前記展開したマスク容器本体を山折りと谷折りを組み合わせて折り畳んだ部位に転香成分を有する薄板を収容可能なポケットを形成するものであることを特徴とする請求項６に記載の携帯容器。
【発明の詳細な説明】
【技術分野】
【０００１】
本発明は、マスクの収納に用いる携帯容器に関する。
【背景技術】
【０００２】
近年、花粉症やインフルエンザ等の感染症の予防目的だけに留まらず、防臭、ファッション等様々な目的のためにマスク着用の習慣が普及してきている。しかし、未使用の場合には個別包装されているものも存在するが、大量販売しているものや使用中・使用後のもの等は、保管容器に保管するか、各自工夫して保管する必要がある。
【０００３】
保管容器には、様々なタイプが存在するが、従来の保管容器では主にマスクの抗菌や除菌等を行う機能を設けている。
【０００４】
特許文献１には、図１４に示すように、ケース１、マスクホルダー４、ＵＶランプ７と、から構成されるマスク用除菌器が提案されている。このマスク用除菌器は、マスクホルダー４に折り畳んだマスクを保管して除菌する技術が開示されている。
【０００５】
特許文献２には、図１５に示すように、プラスチックシート１と、マジックテープ（登録商標）２とから構成されるマスクの携帯ケースが提案されている。このマスクの携帯ケースには、プラスチックシート１に、殺菌、芳香性のあるアロマオイルを染み込ませたコットンをマスクに挟むことにより衛生的に保管する技術が開示されている。更には、プラスチックシート１の外側面に銅箔を貼ることにより雑菌の繁殖を軽減する技術が開示されている。
【０００６】
特許文献３には、図１６に示すように、ケース本体１、蓋２、マスク保持部材４、インナーカバー５と、から構成されるマスク保管用ケースが提案されている。このマスク保管用ケースは、図１６→図１７→図１８に示すようにマスク収容空間Ｓ側に閉じた際にマスクを折り畳んだ状態に保持する技術が開示されている。
【０００７】
更には、図１９に示す装着部１０には、二酸化塩素などの薬剤を充填したアンプルを取り替え自在に装着することで、アンプルから揮発した薬剤を充満させることが開示されている。
【先行技術文献】
【特許文献】
【０００８】
【特許文献１】特開2011-78678
【特許文献２】特開2012-61288
【特許文献３】特開2013-48715
【発明の概要】
【発明が解決しようとする課題】
【０００９】
しかし、特許文献１では、ＵＶランプの使用を前提としているため、ＵＶランプの使用中にＵＶが外へ漏れないような材質でケース１を形成する必要があり、使用可能な材質が限定される。
【００１０】
また、特許文献２では、プラスチックシート１の外側面に銅箔を貼っているため、マスクの皮膚への非接触面が銅箔側に接触し、雑菌が最も繁殖する接触面の殺菌効果に課題が残る。
【００１１】
更に、特許文献３では、マスクを折り畳んだ状態に保持し、アンプルによって薬剤を充満させることについては記載しているが、マスクの種類によっては、図１６に示す通り四つ折りに折り畳んだ形状に維持されるため、四つ折りの形状を記憶して、使用する際にマスクの形状を再現できない可能性がある。
【００１２】
そこで、本発明は、折り畳んだマスク本体の収納姿勢を保持しつつ、転香成分をマスクに揮散させることができるマスクの携帯容器を提供することを目的とする。更に、本発明は、厚紙や薄い金属板、もしくは樹脂板を山折り、谷折りを組み合わせて加工し、折り畳んで成型できるようにすることで、製造及び加工が容易で、且つ、低コストでコンパクトな携帯容器を提供することを目的とする。
【課題を解決するための手段】
【００１３】
本発明は、マスクを収納する携帯容器であって、携帯容器は、マスクと、面状体と、蓋部と、を有し、マスクは、フィルター機能を有する折り畳み可能なマスク本体と、マスク本体の両端部に設けられた対をなす耳掛け部と、を有し、面状体は、二つ折りに折り畳んだマスク本体間に差し込んで折り畳んだマスク本体の収納姿勢を保持して転香成分を揮散し、蓋部は、面状体の両端からマスク本体を覆うものであることを特徴とする。
【００１４】
本発明に係る携帯容器の面状体は、転香成分を有する薄板を収容可能なポケットを有し、薄板から転香成分を揮散するための１以上の貫通孔を有することを特徴とする。
【００１５】
本発明に係る携帯容器の面状体は、折り畳んだマスク本体の形状に沿うように形成されることを特徴とする。
【００１６】
本発明に係る携帯容器の蓋部は、マスク本体に転香成分を揮散するものであることを特徴とする。
【００１７】
本発明に係る携帯容器の蓋部は、転香成分を有する薄板を収容可能なポケットを有し、薄板から転香成分を揮散するための１以上の貫通孔を有することを特徴とする。
【００１８】
本発明に係る携帯容器は、展開可能なマスク容器本体であり、面状体は、展開したマスク容器本体を山折りして形成するものであり、蓋部は、展開したマスク容器本体を山折りと谷折りを組み合わせて、面状体を覆う部位に形成するものであることを特徴とする。
【００１９】
本発明に係る携帯容器の面状体のポケットは、山折りして形成した面状体間に形成するものであることを特徴とする。
【００２０】
本発明に係る携帯容器の蓋部は、展開したマスク容器本体を山折りと谷折りを組み合わせて折り畳んだ部位に転香成分を有する薄板を収容可能なポケットを形成するものであることを特徴とする。
【発明の効果】
【００２１】
本発明によれば、二つ折りにしたマスクに面状体を差し込む動作のみでマスクの収納を行えるため、ワンステップでの収納が可能である。しかも、マスクの使用状態に近い姿勢を維持して収納するため、マスクの形状を損なわずに保管することが可能である。更には、使用した際に崩れた形状も本発明の携帯容器に収納することで、再形成を促すことが可能である。
【００２２】
本発明によれば、二つ折りにしたマスクに面状体を差し込むことで、マスクの皮膚への接触面の谷折り線を起点とした左右の両面は面状体の左右の両面へ接触するため、マスク本体内側の左右同士が直接接触することがなく、衛生的に収納し保管することが可能である。そして、差し込まれた面状体から転香成分が揮散するため、マスクの皮膚への接触面が効果的に転香成分を得ることが可能となる。
【００２３】
本発明によれば、面状体が転香成分を有する薄板を収容可能なポケットを有することで、薄板が交換可能となる。薄板を交換することで多様な転香成分を得ることが可能となり、ユーザ自身が効能や芳香の種類によって、転香成分を適宜選択することも可能である。更には、面状体に薄板から転香成分を揮散するための１以上の貫通孔を有するため、マスクの皮膚への接触面が効果的に転香成分を得ることが可能となる。
【００２４】
本発明によれば、面状体が折り畳んだマスク本体の形状に沿うように形成されることで、マスク本体がより面状体及び蓋部と密着することが可能となる。密着することで、マスクの形状の再形成を促すことが可能であり、更には、面状体及び蓋部から揮散される転香成分を効果的にマスクへ付加することが可能となる。
【００２５】
本発明によれば、蓋部がマスク本体に転香成分を揮散するものであるため、マスクの外気への接触面も効果的に転香成分を得ることが可能となる。面状体と蓋部の両面から転香成分を揮散することで、マスクの表裏の両面へ効果的に転香成分を付加することが可能となる。
【００２６】
本発明によれば、蓋部が転香成分を有する薄板を収容可能なポケットを有することで、薄板が交換可能となる。薄板を交換することで多様な転香成分を得ることが可能となり、ユーザ自身が効能や芳香の種類によって、転香成分を適宜選択することも可能となる。更には、蓋部に薄板から転香成分を揮散するための１以上の貫通孔を有するため、マスクの外気への接触面が効果的に転香成分を得ることが可能となる。
【００２７】
本発明によれば、携帯容器は展開可能なマスク容器本体であり、面状体は展開したマスク容器本体を山折りして形成し、蓋部は展開したマスク容器本体を山折りと谷折りを組み合わせて面状体を覆う部位に形成することで、山折りと谷折りの組み合わせによって携帯容器を形成することが可能となる。従って、本発明によれば、山折りと谷折りを組み合わせることにより、コンパクトで薄い収納容器を形成することが可能となり、製造・加工も容易となり、低コストで量産化することが可能となる。
【００２８】
本発明によれば、面状体のポケットは、山折りして形成した面状体間に形成するものであり、コンパクトで薄い携帯容器を形成することが可能となる。携帯容器がコンパクトで薄くなることで、面状体とマスクとの密着がより密になり、効果的に転香成分をマスクへ付加させることが可能となる。
【００２９】
本発明によれば、蓋部は展開したマスク容器本体を山折りと谷折りを組み合わせて折り畳んだ部位に転香成分を有する薄板の収容可能なポケットを形成するため、コンパクトで薄い携帯容器を形成することが可能となる。
【図面の簡単な説明】
【００３０】
【図１】本発明の基本構成に係る携帯容器の展開図である。
【図２】本発明基本構成に係る携帯容器の図１の展開図に基づいて形成する過程を示す図である。
【図３】本発明の基本構成に係る携帯容器を図１及び図２に基づいて形成し、マスクを装着した状態を示す図である。
【図４】本発明の実施形態１に係る携帯容器の面状体を図１及び図２に基づいて形成し、転香成分を有する薄板を収容可能にするポケットを作り、そのポケットが薄板からの転香成分を揮散するための１以上の貫通孔を有することを示す図である。
【図５】本発明の実施形態１に係る携帯容器の図１に２面追加した６面を有する場合の形成過程を示す図である。
【図６】本発明の実施形態１に係る携帯容器の面状体及び蓋部を、図５に基づいて形成し、転香成分を有する薄板を収容する面状体及び両蓋部のポケットが、転香成分を揮散するための１以上の貫通孔を有することを示す図である。
【図７】本発明の実施形態２に係る携帯容器の面状体が、折り畳んだマスク本体の形状に沿うように形成される一例を示す図であり、（Ａ）は面状体の先端がオメガ形状に形成された場合を示す図であり、（Ｂ）は面状体の先端が四角形状に形成され、更に、マスクのズレ防止用のツメが先端の両端に装着されている図であり、（Ｃ）は面状体の先端が緩やかな凹状を描くカーブに形成されていることを示す図である。
【図８】本発明の実施形態２に係る携帯容器の図７（Ａ）の面状体を形成するための展開図の一例を示す図である。
【図９】本発明の実施形態２に係る携帯容器の図７（Ｂ）の面状体を形成するための展開図の一例を示す図である。
【図１０】本発明の実施形態３に係る携帯容器を密閉可能に形成するための図であり、（Ａ）は携帯容器の展開図であり、（Ｂ）は（Ａ）に基づいて携帯容器を形成する過程を示す図であり、（Ｃ）は（Ａ）及び（Ｂ）に基づいて形成した携帯容器１の開閉状態を示す図である。
【図１１】本発明の実施形態４に係る携帯容器の面状体に香料シートを貼りつける一例を示す図である。
【図１２】本発明の実施形態４に係る携帯容器に留め部を設ける一例を示す図であり、（Ａ）はその展開図、（Ｂ）は（Ａ）に基づいて形成した携帯容器を閉じた際の正面図である。
【図１３】本発明の実施形態４に係る携帯容器を田の字状の展開図から形成する一例を示す図であり、（Ａ）はその展開図、（Ｂ）は（Ａ）に基づいて形成する過程を示す図である。
【図１４】従来技術に係るマスク用除菌器の平面図である。
【図１５】従来技術に係るマスクの携帯ケースの使用状態を示した斜視図である。
【図１６】従来技術に係るマスク保管用ケースの展開状態を示す斜視図である。
【図１７】従来技術に係るマスク保管用ケースの折り畳み途中の状態を示す斜視図である。
【図１８】従来技術に係るマスク保管用ケースの折り畳み途中の状態を示す斜視図である。
【図１９】従来技術に係るマスク保管用ケースの分解斜視図である。
【発明を実施するための形態】
【００３１】
以下、図面を参照して、本発明による携帯容器を実施するための形態について説明する。
【００３２】
［基本構成］
本発明の基本構成を、図１、図２及び図３を参照して説明する。基本構成は、携帯容器１が、マスク２と、面状体３と、蓋部４を有する構成である。図１は、携帯容器１を形成するための展開図の一例であり、携帯容器１を展開すると矩形となる構成を基本構成として説明する。
【００３３】
図１では、長方形の矩形を長手方向に四分割し、左から蓋部４Ｌ、面状体３Ｌ、面状体３Ｒ、蓋部４Ｒに分割する図を示している。蓋部４Ｌと面状体３Ｌは谷折り線７Ｌを分割線、面状体３Ｌ及び面状体３Ｒは山折り線６を分割線、面状体３Ｒと蓋部４Ｒは谷折り線７Ｒを分割線としている。
【００３４】
長方形の矩形を長手方向に四分割しているため、短手方向の長さは、蓋部４Ｌ、面状体３Ｌ、面状体３Ｒ、蓋部４Ｒ、何れも同一である。長手方向の長さは、面状体３Ｌ及び面状体３Ｒはマスク本体を支持するのに必要な長さを設定し、蓋部４Ｌ及び蓋部４Ｒは面状体３を覆うのに必要な長さを設定する。また、図１では、蓋部４Ｌ及び蓋部４Ｒの長手方向の長さは、面状体３Ｌ及び面状体３Ｒよりも長く設定している。
【００３５】
図２では、図１の展開図に基づいて、携帯容器１を形成する過程を示している。山折り線６を起点として山折りし、谷折り線７Ｌ及び谷折り線７Ｒを起点として谷折りし、山折り線６を左右の谷折り線７Ｌ及び谷折り線７Ｒから支えて隆起させて面状体３を形成する。
【００３６】
図３は、図１及び図２に基づいて形成された携帯容器１に、マスク２を装着した状態を示している。マスク２は、マスク本体２１及び耳掛け部２２から構成される。マスク本体２１は、フィルター機能を有する折り畳み可能なものであり、耳掛け部２２は、マスク本体２１の両端部に設けられた対をなすものであればよく、口用マスク、アイマスク等、いずれのものでもよい。また、未使用、使用中、使用済など、使用状態についても限定しないものとする。更に、マスクの形状はいずれのものでもよく、例えば、オメガ形状、四角形状、オメガ形状プリーツを有する四角形状等が挙げられる。
【００３７】
図３に示す通り、二つ折りに折り畳んだマスク本体２１間に、山折り線６を左右の谷折り線７Ｌ及び谷折り線７Ｒから支えて隆起させ、谷折り線７Ｌ及び谷折り線７Ｒを結合し形成された面状体３を差し込んで、マスク本体２１の収納姿勢を保持して転香成分を揮散する。
【００３８】
更に、図３では、図１及び図２の構成に加えて耳掛け部留め４３Ｌ及び耳掛け部留め４３Ｒを蓋部４Ｌ及び蓋部４Ｒ上に有する構成とする。二つ折りに折り畳んだマスク本体２１の内側に面状体３を差し込んで、耳掛け部２２を左右それぞれ耳掛け部留め４３Ｌ及び耳掛け部留め４３Ｒへ引掛ける例を図示している。
【００３９】
なお、明細書中における転香成分とは、抗菌、除菌、殺菌、消臭、芳香成分などの揮散可能な成分のことを指す。
【００４０】
明細書中における面状体とは、山折りと谷折りを組み合わせて形成される、マスクを被せることが可能な面のことを指す。
【００４１】
明細書中における蓋部とは、山折りと谷折りを組み合わせて形成される、マスクを携帯容器１に収納したときに覆う部分のことを指す。
【００４２】
明細書中における山折りとは、鋭角形状、凸型形状等、隆起させて山を形成するものであれば、いずれの形状でもよく、谷折りとは、鋭角形状、凹型形状等、沈降させて谷を形成するものであれば、いずれの形状でもよい。
【００４３】
なお、基本構成では、長方形の矩形を長手方向に四分割する一例を示したが、本発明は四分割に限定せず、長方形の矩形の長手方向の長さを更に伸ばして、六分割や七分割等増やしてもよい。また、長方形の矩形を長手方向に分割することに限定せず、山折りと谷折りを組み合わせて構成される展開図から折り畳んで携帯容器を形成できればよいので、分割数や分割位置を増減させて、構成を自由に調整できるようにしてもよい。この場合、本発明の実施者は、本携帯容器の製造が容易で且つ低コストでできるよう山折り線、谷折り線を設けて、簡単に組み立てできるようにしている。
【００４４】
基本構成によれば、二つ折りに折り畳んだマスク本体２１の内側に面状体３を差し込むことで、収納姿勢を保持することが可能となる。更には、マスクを使用後に型崩れした形状も本発明の携帯容器１に収納することで、再形成を促すことが可能となり、マスクの携帯容器１への収納は、二つ折りしたマスク２の内側に面状体３を差し込む動作のみで行えるため、ワンステップでの容易な収納が可能となる。
【００４５】
基本構成によれば、二つ折りにしたマスク２の内側に面状体３を差し込むことになるため、マスク２の内側、即ちマスクの口や鼻に接触する部分が面状体の両面に接触し、面状体に開けられた貫通孔を通じて、面状体内側ポケットに収納された薄板から、揮散される転香成分を得るため、マスク２の内側を滅菌、消臭するなどして衛生的に保つことが可能となる。
【００４６】
基本構成によれば、平面素材を山折りと谷折りを組み合わせるなどして携帯容器１を形成することが可能であるため、加工が容易であり、低コストで量産化することが可能となる。また、折り紙のように携帯容器１を形成するため、携帯容器１を薄く形成することが可能になり、結果として、携帯容器１が軽量となるだけでなく、面状体３とマスク２との密着性をより高め、転香成分のマスクへの転香を促進することが可能となる。
【００４７】
［実施形態１］
図４、図５及び図６を参照して、本発明による携帯容器の実施形態１を説明する。基本構成では、携帯容器１が、マスク２と、面状体３と、蓋部４を有する構成を説明したが、実施形態１では、面状体３及び蓋部４が転香成分を有する薄板５を収容可能なポケットを有し、薄板５から前記転香成分を揮散するための１以上の貫通孔を有する構成を説明する。この薄板５から揮散する転香成分は、マスクに付着させるものである。実施形態１では、面状体３自体は転香成分を有さず、二層で構成される面状体３が内側（ポケット）に収容する薄板５が転香成分を有する構成を説明する。
【００４８】
図４は、基本構成で説明した図３の構成に加えて、面状体３の３辺、即ち、山折り線６の辺と、谷折り線７Ｌ及び谷折り線７Ｒを突き合わせた辺と、前述の２辺に対して垂直な２辺のうち、いずれか１辺とから構成される３辺に囲まれた空間をポケット３１となるよう形成し、転香成分を有する薄板５を収容可能な携帯容器１を示す図である。更に、面状体３Ｌ及び面状体３Ｒに１以上の貫通孔３２を有する構成とする。薄板５の転香成分が減少または劣化し、或いはユーザが異なる転香成分を得ようとする場合には、ポケット３１の出し入れ口から薄板５の交換を行うことになる。
【００４９】
明細書中における薄板とは、転香成分を有する薄い板状のものを指し、素材は転香成分を有することが可能なものであればいずれのものでもよく、例えば、板状に加工したコットン、木板、セラミック、布、紙、樹脂、チタンなど転香成分を含浸可能な多孔質物質や、香料や精油、薬効成分をジェル状等に固形化したものが挙げられる。また、転香成分を有するものを薄い板等に貼りつけたものを薄板として取り扱ってもよい。
【００５０】
明細書中における、貫通孔とは薄板５の転香成分を揮散させるための通り道のことを示す。従って、転香成分を効果的に揮散させることができれば、形状は問わず、円形状、四角形状、網目形状等いずれのものでもよく、またサイズや数も限定しない。
【００５１】
図５は、６面の展開図から形成される携帯容器１を示す。６面の展開図（図示せず）は、長方形の矩形を長手方向に六分割し、左から蓋部４ＬＬ、蓋部４ＬＲ、面状体３Ｌ、面状体３Ｒ、蓋部４ＲＬ、蓋部４ＲＲから構成される。蓋部４ＬＬと蓋部４ＬＲは山折り線６Ｌを分割線、蓋部４ＬＲと面状体３Ｌは谷折り線７Ｌを分割線、面状体３Ｌと面状体３Ｒは山折り線６Ｃを分割線、面状体３Ｒと蓋部４ＲＬは谷折り線７Ｒを分割線、蓋部４ＲＬと蓋部４ＲＲは山折り線６Ｒを分割線としている。
【００５２】
長方形の矩形を長手方向に六分割しているため、短手方向の長さは、蓋部４ＬＬ、蓋部４ＬＲ、面状体３Ｌ、面状体３Ｒ、蓋部４ＲＬ、蓋部４ＲＲ、何れも同一である。面状体３を構成する面状体３Ｌと面状体３Ｒは、マスク本体を支持するのに必要な長さを設定し、蓋部４を構成する蓋部４ＬＬ及び蓋部４ＬＲ、蓋部４ＲＬ及び蓋部４ＲＲは面状体３を覆うのに必要な長さを設定する。
【００５３】
図５は、６面の展開図（図示せず）から図６に示す携帯容器１を形成する過程を示している。山折り線６Ｌを起点に山折り、谷折り線７Ｌを起点に谷折り、山折り線６Ｃを起点に山折り、谷折り線７Ｒを起点に谷折り、山折り線６Ｒを起点に山折りにし、山折りと谷折りを交互に繰り返して図５に示す形状を形成する。６面の展開図（図示せず）の左端１１Ｌと谷折り線７Ｌを突き合わせて、蓋部４ＬＬと蓋部４ＬＲを折り合わせて蓋部４Ｌを形成し、谷折り線７Ｌと谷折り線７Ｒを突き合わせて、面状体３Ｌと面状体３Ｒを折り合わせて面状体３を形成し、谷折り線７Ｒと６面の展開図（図示せず）の右端１１Ｒを突き合わせ、蓋部４ＲＬと蓋部４ＲＲを折り合わせて蓋部４Ｒを形成して携帯容器１を形成した図が図６である。
【００５４】
図６に示す通り、蓋部４Ｌの３辺、即ち、山折り線６Ｌの辺と、６面の展開図（図示せず）の左端１１Ｌ及び谷折り線７Ｌを突き合わせた辺と、前述の２辺に対して垂直な２辺のうち、いずれか１辺とから構成される３辺に囲まれた空間をポケット４１Ｌとなるよう形成する。蓋部４Ｒの３辺、即ち、山折り線６Ｒの辺と、６面の展開図（図示せず）の右端１１Ｒ及び谷折り線７Ｒを突き合わせた辺と、前述の２辺に対して垂直な２辺のうち、いずれか１辺とから構成される３辺に囲まれた空間をポケット４１Ｒとなるよう形成する。ポケット４１Ｌ及びポケット４１Ｒは、転香成分を有する薄板５を収容可能とする。
【００５５】
更に、蓋部４ＬＲ及び蓋部４ＲＬに、１以上の貫通孔４２を有する構成とする。薄板５の転香成分が減少や劣化し、又はユーザが異なる転香成分を得ようとする場合には、ポケット４１Ｌ及びポケット４１Ｒの出し入れ口から薄板５の交換を行う。また、図６に示す通り、耳掛け部留め４３Ｌ及び耳掛け部留め４３Ｒを蓋部４Ｌ及び蓋部４Ｒ上に有する構成としてもよい。
【００５６】
なお、図６に示す耳掛け部留め４３Ｌ及び耳掛け部留め４３Ｒは、耳掛け部２２を上下から引掛ける引掛け部と、引掛け部を支えるために蓋部４Ｌ及び蓋部４Ｒに接着する接着部から構成される。図６では、マスク左側の耳掛け部２２を耳掛け部留め４３Ｌの上下引掛け部で２点、マスク右側の耳掛け部２２を耳掛け部留め４３Ｒの上下引掛け部で２点支える構成としているが、耳掛け部留めの位置や数はこれに限定されるものではない。図６では、携帯容器１を上下方向に起立した構造を示しているが、水平方向へ向けてもよい。
【００５７】
実施形態１における携帯容器１の素材は、６面の展開図から形成可能なものであればいずれのものでもよく、例えば、紙、布、板金、樹脂、ビニール、アルミ、木などが挙げられる。
【００５８】
実施形態１によれば、ポケット３１、ポケット４１Ｌ、ポケット４１Ｒの出し入れ口から、転香成分を有する薄板５を出し入れ可能にすることで、薄板５の転香成分が減少や劣化した際や、又は異なる転香成分に変更しようとする際の薄板５の交換を容易にすることができる。
【００５９】
更に、貫通孔３２によって、マスクの内側即ち口や鼻に接触する面が効果的に転香成分を得ることを可能にし、また、貫通孔４２によって、マスクの外側即ち外気に接触する面も効果的に転香成分を得ることが可能となる。即ち、マスクの表裏両面に効果的に転香成分を付加することが可能となる。
【００６０】
例えば、感染症の流行時期に、蓋部４のポケット４１Ｌ及びポケット４１Ｒに抗菌・滅菌成分を含む転香成分を有する薄板５を収容しておけば、マスクの外側が常に抗菌・滅菌されることになり、外からの感染源の増殖を防ぐことが可能となり、面状体３のポケット３１にミントなどの芳香成分を含む転香成分を有する薄板５を収容しておけば、マスクの内側即ち口や鼻が接触する面の消臭や着香が可能となる。
【００６１】
なお、実施形態１では、蓋部４Ｌ、蓋部４Ｒ、面状体３にポケットを有する構成としたが、面状体３のみポケットを有する構成や面状体３及び蓋部４Ｌ或いは４Ｒのみにポケットを有する構成など、ポケットを有する位置は限定されない。
【００６２】
また、実施形態１では、長方形の矩形を、山折り線と谷折り線を分割線として六分割する一例を説明したが、線ではなく、厚み（マチ）を持たせた山折りと谷折りにし、ポケットに膨らみをもたせる構成としてもよい。薄板５の厚みや形状に合わせて、ポケットの厚みや形状を決定することも可能である。
【００６３】
［実施形態２］
図７、図８及び図９を参照して、本発明による携帯容器の実施形態２を説明する。基本構成では、携帯容器１が、マスク２と、面状体３と、蓋部４を有する構成を説明したが、実施形態２では、面状体３が折り畳んだマスク本体２１の形状に沿うように形成される構成を説明する。
【００６４】
図７は、面状体３が折り畳んだマスク本体の形状に沿うように形成される一例を示す図であり、（Ａ）は面状体の先端がオメガ形状に形成されることを示す図であり、（Ｂ）は面状体の先端が四角形状に形成され、更に、マスクのズレ防止用のツメが両端に装着されていることを示す図であり、（Ｃ）は面状体の先端が緩やかな凹状カーブに形成されていることを示す図である。
【００６５】
図７に示す面状体３には、いずれのマスクを装着してもよいが、図７（Ａ）にはオメガ形状、又はオメガ形状プリーツを有する四角形状のマスクを装着することが好ましい。図７（Ｂ）には、四角形状のマスクを装着することが好ましい。
【００６６】
図８は、図７（Ａ）の面状体を形成するための展開図、図９は、図７（Ｂ）の面状体を形成するための展開図であり、いずれも携帯容器１の展開図の一例である。例えば、市販されるマスクの様々な形状に対応できるように、図１に示す展開図の山折り線６上に、図８又は図９に示すような様々な破線や切込み線を設けて、図１から図８又は図９、或いはその他の形状に成形可能な形態としてもよい。
【００６７】
また、図７、図８及び図９に示す構成に加えて、実施形態１と同様に、面状体３及び／又は蓋部４に出し入れ口を設けて、ポケット３１、ポケット４１Ｌ、ポケット４１Ｒを有する構成とし、薄板５を出し入れ可能にしてもよい。更には、薄板５から転香成分を揮散するための１以上の貫通孔３２及び／又は貫通孔４２を設けてもよい。
【００６８】
実施形態２によれば、折り畳んだマスク本体２１の形状に沿うように面状体３が形成されることで、マスクを面状体３の形に沿わせて収納することが可能となり、マスク本体を面状体３及び蓋部４により密着させることが可能となる。マスク使用後に型崩れしたマスクの形状も、マスク本体２１を二つ折りにして本発明の携帯容器１の面状体３に沿うように収納することで、マスク本体２１の形状が整えられ、更にマスク本体を面状体３及び蓋部４で押さえ付けることによりアイロンをかけたような効果が得られ、マスク本体２１の形状を購入時の形状へと促すことが可能である。また、マスクが面状体と蓋に常に接触していることで、マスクに面状体３及び蓋部４から揮散される転香成分を効果的に付加することが可能となる。
【００６９】
更に、図７（Ｂ）及び（Ｃ）に示す通り、ズレ防止用のツメや緩やかな凹状のカーブがマスクのズレを防止し、マスク収納位置を定めることを可能にする。図７（Ｃ）においては、面状体の先端が緩やかな凹状のカーブであるために、マスク本体２１を滑らせて面状体３に装着することが可能となり、装着のズレも防ぐことが可能となる。
【００７０】
実施形態２によれば、予め決定された立体形状へと組み立てる構成としてもよく、また、携帯容器を使用するユーザが自由に組み立てる構成としてもよく、必要に応じて自由に選択すれば良い。
【００７１】
［実施形態３］
図１０を参照して、本発明による携帯容器の実施形態３を説明する。基本構成、実施形態１及び実施形態２では、長方形の矩形から形成する携帯容器１の説明をしたが、実施形態３では、山折りと谷折りを組み合わせて密閉可能な携帯容器１の構成を説明する。
【００７２】
平面構造として構成されている図１に示す携帯容器１の蓋部４に対して、図１０に示す実施形態３の携帯容器１は、密閉可能に形成するために、蓋部４の面状体３Ｌと３Ｒに繋がる辺を除く３辺に垂直に立つ低い縁取りを設け、両面の蓋４が面状体を挟んで合わさった際に、噛み合わさる構造になるように構成されている。
【００７３】
実施形態３では、展開可能なマスク容器本体と、展開可能なマスク容器本体の中心部を山折りして形成した面状体３と、展開したマスク容器本体を山折りと谷折りを組み合わせて形成した、面状体３を覆う蓋部４から構成される携帯容器１の構成を説明する。
【００７４】
図１０では、本発明に係る携帯容器１の両面の蓋を相互に噛み合わせられるようにし、且つ携帯容器を密閉可能に形成するための図であり、（Ａ）は携帯容器の展開図であり、（Ｂ）は（Ａ）に基づいて携帯容器を形成する過程を示す図であり、（Ｃ）は（Ａ）及び（Ｂ）に基づいて携帯容器を開閉する過程を示す図である。
【００７５】
図１０（Ａ）に示す通り、携帯容器１は蓋部４及び面状体３より構成され、蓋部４は左側の蓋となる蓋部４Ｌ及び右側の蓋となる蓋部４Ｒから構成される。
【００７６】
蓋部４Ｌは、蓋平面部４ＬＰと、蓋平面部４ＬＰの上部に延設される蓋側面部４ＬＳ１と、蓋平面部４ＬＰの左部に延設される蓋側面部４ＬＳ２と、蓋平面部４ＬＰの下部に延設される蓋側面部４ＬＳ３と、蓋平面部４ＬＰの右部に延設される蓋側面部４ＬＳ４とから構成される。蓋平面部４ＬＰと蓋側面部４ＬＳ１の境界に谷折り線７Ｌ１、蓋平面部４ＬＰと蓋側面部４ＬＳ２の境界に谷折り線７Ｌ２、蓋平面部４ＬＰと蓋側面部４ＬＳ３の境界に谷折り線７Ｌ３、蓋平面部４ＬＰと蓋側面部４ＬＳ４の境界に谷折り線７Ｌ４が構成される。
【００７７】
面状体３は、蓋側面部４ＬＳ４の右部に延設される面状体３Ｌと、面状体３Ｌの右部に延設される面状体３Ｒとから構成される。更に、面状体３Ｒは、蓋側面部４ＲＳ４に延設される。蓋側面部４ＬＳ４と面状体３Ｌの境界に谷折り線７Ｌ５、面状体３Ｌ上に山折り線６Ｌ、面状体３Ｌと面状体３Ｒの境界に山折り線６Ｃ、面状体３Ｒ上に山折り線６Ｒ、面状体３Ｒと蓋側面部４ＲＳ４の境界に谷折り線７Ｒ５が構成される。
【００７８】
蓋部４Ｒは、蓋平面部４ＲＰと、蓋平面部４ＲＰの上部に延設される蓋側面部４ＲＳ１と、蓋平面部４ＲＰの右部に延設される蓋側面部４ＲＳ２と、蓋平面部４ＲＰの下部に延設される蓋側面部４ＲＳ３と、蓋平面部４ＲＰの左部に延設される蓋側面部４ＲＳ４と、から構成される。蓋平面部４ＲＰと蓋側面部４ＲＳ１の境界に谷折り線７Ｒ１、蓋平面部４ＲＰと蓋側面部４ＲＳ２の境界に谷折り線７Ｒ２、蓋平面部４ＲＰと蓋側面部４ＲＳ３の境界に谷折り線７Ｒ３、蓋平面部４ＲＰと蓋側面部４ＲＳ４の境界に谷折り線７Ｒ４、が構成される。
【００７９】
図１０（Ｂ）は、上述の図１０（Ａ）の展開図に基づいて携帯容器１を形成する過程を示す図であり、谷折り線７Ｌ１乃至谷折り線７Ｌ３、谷折り線７Ｒ１乃至谷折り線７Ｒ３を谷折りして蓋部４を形成する過程を示している。
【００８０】
上述の構成には、面及び線のみ記載しているが、携帯容器１を形成する素材に応じて、適宜のりしろや、縫い代等を設けて、図１０（Ａ）における蓋側面部４ＬＳ１の左端と蓋側面部４ＬＳ２の上端、蓋側面部４ＬＳ２の下端と蓋側面部４ＬＳ３の左端が固着可能に形成する必要がある。
【００８１】
更に、山折り線６Ｃを山折りして、谷折り線７Ｌ４乃至谷折り線７Ｌ５、谷折り線７Ｒ４乃至谷折り線７Ｒ５、を谷折りし、谷折り線７Ｌ５と谷折り線７Ｒ５を結合させることで、山折り線６Ｃを起点とした山折りを、左右の谷折り線７Ｌ５及び谷折り線７Ｒ５を起点とした谷折りから支えて隆起させることで、面状体３が形成される。
【００８２】
図１０（Ｃ）は、図１０（Ａ）及び（Ｂ）に基づいて形成した携帯容器１の開閉状態を示す図である。携帯容器１を開く時には、蓋部４Ｌ及び蓋部４Ｒが左右に開いて、面状体３が表出する。携帯容器１を閉じる時には、蓋部４Ｌ及び蓋部Ｒが閉じて、蓋側面部４ＬＳ１乃至蓋側面部４ＬＳ３が蓋側面部４ＲＳ１乃至蓋側面部４ＲＳ３を覆うことで、密閉状態を作り出す。
【００８３】
また、山折り線６Ｌ及び山折り線６Ｒを設け、この二つの山折り線を山折りすることで、面状体３が有するポケット３１に厚みができ、薄板５が厚みを有するものであっても出し入れしやすくなり、収容が可能になる。
【００８４】
なお、上述の説明は、折り畳み可能な素材を用いて、図１０（Ａ）の展開図から形成する一例を記載したが、折り畳み可能な素材でなくとも、山折り線及び谷折り線を、例えば肉厚を薄くして折り曲げ可能に形成して折り畳みが可能になれば、実施形態３に記載する携帯容器１を実現することが可能となる。
【００８５】
更に、展開可能なマスク容器本体と、展開したマスク容器本体の中心部を山折りして形成した面状体３と、特例として周辺部を立体構造にし、蓋部４を面状体３を覆うように形成した携帯容器１の構成を説明する。
【００８６】
例えば、樹脂等の素材で、凸部（隆起させて山を形成する山折り）と、凹部（沈降させて谷を形成する谷折り）とから成る金型等を用いて、図１０（Ａ）の工程を経ることなく、一工程で図１０（Ｂ）に示す携帯容器１を一体成型することが可能である。樹脂を用いて形成する一例として、熱可塑性樹脂から射出成形の工程で製造する方法が挙げられる。
【００８７】
上述の通り、明細書中における山折りとは、鋭角形状、凸型形状等、隆起させて山を形成するものであれば、いずれの形状でもよく、谷折りとは、鋭角形状、凹型形状等、沈降させて谷を形成するものであれば、いずれの形状でもよい。
【００８８】
従って、図１０（Ｂ）に示すように、凹凸を有する谷折りと山折りを組み合わせた金型に対して、樹脂を射出して、山折りを形成する面状体と、山折りと谷折りを組み合わせた面状体を覆う部位に形成された蓋部とを一体成型可能な携帯容器１を形成することも可能となる。
【００８９】
更に、実施形態３の特例として、蓋部４を二つの薄い容器の内側部分が接合するように、それぞれの一辺をヒンジで連結して、丁度二枚貝のように開閉可能な容器を形成してもよい。携帯容器１の内側に山折りと谷折りを組み合わせた面状体３を有する構成も可能である。そして、携帯容器１内の面状体３を挟む二つの蓋部４のヒンジ寄りの内側には、マスク本体２１の両端部に付いている対をなす耳掛け部２２を差し込み保持するための耳掛け部留め４３Ｌ及び４３Ｒを有する構成としてもよい。この携帯容器１へのマスク２の収納は、マスク２を二つに折り畳み、その内側に面状体３を差し込み、マスク２の耳掛け部２２を二枚貝状の携帯容器１の内側にある耳掛け部留め４３Ｌ及び４３Ｒに挿し込んで固定し、二枚貝状の蓋部４を合わせ閉じることで完結する。
【００９０】
実施形態３によれば、山折りと谷折りを組み合わせることにより密閉された携帯容器１を形成することが可能である。折り畳み可能な素材を用いて、山折り線及び谷折り線を折り畳み、図１０（Ａ）に示す展開図のように携帯容器１を形成することが可能であるが、金型等を用いて樹脂素材等で形成することも可能であり、様々な素材を用いて携帯容器１を形成することが可能となる。これにより、素材の特性に応じた携帯容器１を形成することも可能であるばかりでなく、製造時の容易性やユーザの好みに応じた携帯容器１を形成することが可能となる。
【００９１】
また、図１０では面状体３のみポケット３１を有する構成としたが、蓋部４Ｌ及び蓋部４Ｒに其々、ポケット４１Ｌ及びポケット４１Ｒを有する構成とすることも可能である。そして、図１０（Ａ）に示す山折り線６Ｌ及び山折り線６Ｒによって、ポケット３１に厚みを有することも可能な構成としたが、ポケット４１Ｌ、ポケット４１Ｒを形成する場合も同様に、山折り線等を設けて山折りして厚みを有する構成としてもよい。
【００９２】
このように、折りたたみ可能な展開図方式や金型等を用いることにより、製造加工が容易となり、かつ、低コストで量産化することが可能となる。更に、実施形態３を採用すれば、密閉された携帯容器１を作ることが可能となり、揮散された転香成分が容器内に充満し、マスク２に有効成分を効果的に付加することが可能となる。
【００９３】
［実施形態４］
図１１乃至図１３を参照して、本発明による携帯容器１の実施形態４を説明する。実施形態３では、山折りと谷折りを組み合わせて密閉可能な携帯容器１の構成を説明したが、実施形態４では、別な山折りと谷折りの組み合わせを応用して形成する携帯容器１の構成を説明する。
【００９４】
図１１は、図１の展開図の面状体３Ｌ及び面状体３Ｒ上に香料シートを糊着させたことを示す図である。実施形態１でポケット３１を設ける構成を説明したが、ポケット３１を設けず、転香成分を有する薄板５もしくは転香シートを面状体３Ｌ及び３Ｒに糊着させることで、マスクへ転香成分を付加することが可能となる。
【００９５】
図１２（Ａ）は、長手方向に六分割された長方形の矩形に加えて、矩形の右端に延設される留め部９を有する。長方形の矩形は、左から蓋部４ＬＬ、蓋部４ＬＲ、面状体３Ｌ、面状体３Ｒ、蓋部４ＲＬ、蓋部４ＲＲに分割されている。
蓋部４ＬＬ及び蓋部４ＬＲは山折り線６Ｌを分割線、蓋部４ＬＲ及び面状体３Ｌは谷折り線７Ｌを分割線、面状体３Ｌ及び面状体３Ｒは山折り線６を分割線、面状体３Ｒ及び蓋部４ＲＬは谷折り線７Ｒを分割線、蓋部４ＲＬ及び蓋部４ＲＲは山折り線６Ｒを分割線、蓋部４ＲＲ及び留め部９は山折り線６Ｏを分割線としている。そして、留め部９上に山折り線６Ｌ、山折り線６、山折り線６Ｒを覆うための山折り線６Ｃを有する。
【００９６】
山折り線６Ｌ、山折り線６、山折り線６Ｒ、山折り線６Ｏ及び山折り線６Ｃを起点として山折りし、谷折り線７Ｌ、谷折り線７Ｒを起点として谷折りし、山折り線６Ｌを矩形の左端及び谷折り線７Ｌから支えて隆起させて蓋部４ＬＬ及び蓋部４ＬＲを折り合わせて蓋部４Ｌを形成し、山折り線６を谷折り線７Ｌ及び谷折り線７Ｒから支えて隆起させて面状体３Ｌ及び面状体３Ｒを折り合わせて面状体３を形成し、山折り線６Ｒを谷折り線７Ｒ及び山折り線６Ｏから支えて隆起させて蓋部４ＲＬ及び蓋部４ＲＲを折り合わせて蓋部４Ｒを形成する。そして、面状体３Ｌを蓋部４ＬＲが覆い、面状体３Ｒを蓋部４ＲＬが覆い、留め部９が蓋部４ＬＬを覆い、山折り線６Ｃが山折り線６Ｌ、山折り線６及び山折り線６Ｒを覆い、蓋部４ＲＲに引掛けることで、図１２（Ｂ）に示すような携帯容器１を全て閉じた状態が形成される。
【００９７】
図１３（Ａ）は、矩形を田の字状に四分割し、左上を面状体３Ｌ、右上を面状体３Ｒ、左下を蓋部４Ｌ、蓋部４Ｒとして構成する。面状体３Ｌと面状体３Ｒは山折り線６を分割線、面状体３Ｌと蓋部４Ｌは谷折り線７Ｌを分割線、面状体３Ｒと蓋部４Ｒは谷折り線７Ｒを分割線、蓋部４Ｌと蓋部４Ｒは切込み線８を分割線としている。
【００９８】
図１３（Ｂ）は、山折り線６を起点として山折りし、谷折り線７Ｌ、谷折り線７Ｒを起点として谷折りし、切込み線８を起点として切込みし、山折り線６を左右の谷折り線７Ｌ及び谷折り線７Ｒから支えて隆起させて面状体３を形成する過程を示す図である。
【００９９】
実施形態４で示す携帯容器１において、面状体３Ｌ及び面状体３Ｒが合わさるポケット３１に薄板５を入れる構成、または、面状体３Ｌ及び３Ｒに転香成分を有する転香シートを糊着する構成等、いずれの構成としてもよい。更には、面状体３だけでなく、蓋部４にも同様の機能を設けてもよいものとする。
【０１００】
実施形態４で示す携帯容器１は、本携帯容器製造時に組み立てる構成としてもよく、また、携帯容器を使用するユーザが本携帯容器入手（購入）後に自由に組み立てる構成としても良い。 
山折り線、谷折り線の位置は、各図で示す山折り線、谷折り線の位置に限定されず、本携帯容器の展開方法を横長の矩形や田の字型の矩形にするなどして、面状体３及び蓋部４の位置を自由に変更することが可能となる。このように、一つの展開図に対して一様な完成図があるのではなく、多様な携帯容器を得ることが可能となり、ユーザに好適な携帯容器を提供することができる。
【０１０１】
また、実施形態４では６面を有する構成を説明したが、更に面を増設し、製造者やユーザが分割数や分割位置を自由に調整できるようにしてもよく、ユーザに適した携帯容器を提供することが可能になる。 
更に、製造時に予め定めた立体形状に組み立ててしまってもよく、また、携帯容器を使用するユーザが購入後に自分で組み立てる構成としてもよい。
【０１０２】
この発明は、その本質的特性から逸脱することなく数多くの形式のものとして具体化することができる。よって、上述した実施形態は専ら説明上のものであり、本発明を制限するものではないことは言うまでもない。
【符号の説明】
【０１０３】
１                          携帯容器
２                          マスク
２１                        マスク本体
２２                        耳掛け部
３、３Ｌ、３Ｒ              面状体３
３１                        ポケット
３２                        貫通孔
４、４Ｌ、４Ｒ              蓋部
４ＬＰ、４ＲＰ              蓋平面部
４ＬＳ１、４ＬＳ２、４ＬＳ３、４ＬＳ４、４ＲＳ１、４ＲＳ２、４ＲＳ３、４ＲＳ４                              蓋側面部
４１Ｌ、４１Ｒ              ポケット
４２                        貫通孔
４３Ｌ、４３Ｒ              耳掛け部留め
５                          薄板
６、６Ｌ、６Ｃ、６Ｒ、６Ｏ  山折り線
７、７Ｌ、７Ｒ、７Ｌ１、７Ｌ２、７Ｌ３、７Ｌ４、７Ｌ５、７Ｒ１、７Ｒ２、７Ｒ３、７Ｒ４、７Ｒ５              谷折り線
８                          切り取り線
９                          留め部
【図１】
2020045135.tif 000003
【図２】
2020045135.tif 000004
【図３】
2020045135.tif 000005
【図４】
2020045135.tif 000006
【図５】
2020045135.tif 000007
【図６】
2020045135.tif 000008
【図７】
2020045135.tif 000009
【図８】
2020045135.tif 000010
【図９】
2020045135.tif 000011
【図１０】
2020045135.tif 000012
【図１１】
2020045135.tif 000013
【図１２】
2020045135.tif 000014
【図１３】
2020045135.tif 000015
【図１４】
2020045135.tif 000016
【図１５】
2020045135.tif 000017
【図１６】
2020045135.tif 000018
【図１７】
2020045135.tif 000019
【図１８】
2020045135.tif 000020
【図１９】
2020045135.tif 000021